(57)【要約】【課題】容易に機器等からの情報を適切に発信する。【解決手段】ＢＬＥモジュール（４１０）は、自動ドアシステム（４０）における特定情報を受信する送信信号生成部（４１１）と、近距離無線通信により、自機の設置場所の属性を判別させるための識別情報を含む第１信号を繰り返し送信するとともに、前記特定情報を含む第２信号を送信する信号発信部（４１３）と、を備える。【選択図】図１
2019117570.tif 000002
【特許請求の範囲】
【請求項１】
外部装置における特定情報を取得する取得部と、
近距離無線通信により、自機の設置場所の属性を判別させるための識別情報を含む第１信号を繰り返し送信するとともに、前記特定情報を含む第２信号を送信するか、または、前記第２信号として、自機の設置場所の属性を判別させるための識別情報、および外部装置からの特定情報を含む信号を繰り返し送信する送信部と、を備えたことを特徴とする信号発信装置。
【請求項２】
前記第１信号を受信した携帯通信端末から近距離無線通信により送信されてくる受信確認信号を受信する受信部を備え、
前記送信部は、前記受信確認信号を受信した後に前記第２信号を送信することを特徴とする請求項１に記載の信号発信装置。
【請求項３】
前記特定情報を複数の情報に分割し、分割した情報のそれぞれを複数の前記第２信号に含ませる信号処理部を備え、
前記送信部は、分割された前記特定情報を含む前記第２信号を送信することを特徴とする請求項１または２に記載の信号発信装置。
【発明の詳細な説明】
【技術分野】
【０００１】
本発明は、信号を用いた情報収集システムに含まれる信号発信装置等に関する。
【背景技術】
【０００２】
近年、ＢＬＥ（Bluetooth Low Energy）を用いてビーコン信号を発信し、広告やクーポン等の情報のプッシュ通知を行う広告配信システム等、ビーコン信号を用いるビジネスモデルが注目されている。ＢＬＥは、Bluetooth（登録商標）と比較して消費電力が低く、コイン電池、ボタン電池等を使用して、長期間、利用することができる。また、ビーコン信号発信機は、場所を選ばずに設置することができる。このため、ＢＬＥによりビーコン信号を発信することを用いたシステムは、需要も多い。
【０００３】
例えば、非特許文献１には、ＢＬＥを用いたクーポン発券システムが開示されている。非特許文献１に開示されたシステムでは、ＢＬＥによる通信が可能なビーコン発信機を店舗に設置し、ビーコン発信機から発信されたＢＬＥアドバタイズ信号を、ＢＬＥによる通信が可能なスマートホンが受信している。そして、スマートホンは、ＢＬＥアドバタイズ信号に含まれるＩＤ情報をサーバに送信し、サーバから当該店舗に関するクーポンを取得している。
【先行技術文献】
【非特許文献】
【０００４】
【非特許文献１】“iBeaconとは？”［online］［平成29年11月24日検索］、インターネット〈URL：http://smartphone-ec.net/ibeacon/system.html〉
【発明の概要】
【発明が解決しようとする課題】
【０００５】
上述した通り、ＢＬＥを用いてビーコン信号を発信するＢＬＥモジュールを備えたシステムは需要も多く、様々な用途に用いることができる。上記非特許文献１では、ビーコン信号を受信したスマートホンにクーポンを配信するシステムが記載されているが、可能な用途は、これに限られるものではない。
【０００６】
ビーコン発信機は、様々なところに設置可能であり、さらにビーコン信号は周期的に発信される。また、ビーコン信号の受信に特別な操作は必要なく、ビーコン信号の到達範囲に存在さえすれば受信することができる。
【０００７】
しかし、上述した従来技術ではこのようなビーコン信号の特性を十分に生かし切っていない。
【０００８】
本発明の一態様は、上述したようなビーコン信号の特性をふまえ、容易に機器等からの情報を適切に発信できる信号発信装置を実現することを目的とする。
【課題を解決するための手段】
【０００９】
上記課題を解決するために、本発明の一態様に係る信号発信装置は、外部装置における特定情報を取得する取得部と、近距離無線通信により、自機の設置場所の属性を判別させるための識別情報を含む第１信号を繰り返し送信するとともに、前記特定情報を含む第２信号を送信するか、または、前記第２信号として、自機の設置場所の属性を判別させるための識別情報、および外部装置からの特定情報を含む信号を繰り返し送信する送信部と、を備えたことを特徴としている。
【００１０】
識別情報を繰り返し送信する信号発信装置は、位置ビーコンとして活用できる。位置ビーコンは様々な場所へ設置することが可能であり、需要が多い。そして、前記の構成によれば、当該信号発信装置を利用して外部装置の特定情報を発信する。
【００１１】
これにより、近距離無線通信の到達範囲に存在さえすれば、容易に特定情報を受信することができる。
【００１２】
また、発信された特定情報は、例えば携帯通信端末を介してネットワークに送信することができる。よって、ネットワークに繋がっていない外部装置からの特定情報を、ネットワークへ送ることができる。また、携帯通信端末は近距離無線通信の到達範囲に多数存在する可能性が高いため、ネットワークに繋がっていない外部装置からの特定情報を確実にネットワークに送信することができる。
【００１３】
本発明の一態様に係る信号発信装置では、前記第１信号を受信した携帯通信端末から近距離無線通信により送信されてくる受信確認信号を受信する受信部を備え、前記送信部は、前記受信確認信号を受信した後に前記第２信号を送信するものであってもよい。
【００１４】
前記の構成によれば、受信確認信号を確認後、特定情報を送信する。これにより、受信確認信号を送信してきた携帯通信端末のみに特定情報を送信する。そして、受信確認信号の送信を特定のアプリケーションの機能とすれば、当該特定のアプリケーションをインストールした携帯通信端末が、近距離無線通信の到達範囲に存在する場合に限り、特定情報を送信することができる。
【００１５】
本発明の一態様に係る信号発信装置では、前記特定情報を複数の情報に分割し、分割した情報のそれぞれを複数の前記第２信号に含ませる信号処理部を備え、前記送信部は、分割された前記特定情報を含む前記第２信号を送信するものであってもよい。
【００１６】
前記の構成によれば、特定情報の情報量が、単一の第２信号に含めることができる情報量を超えていたとしても、送信することができる。
【発明の効果】
【００１７】
本発明の一態様によれば、近距離無線通信の到達範囲に存在さえすれば、容易に特定情報を受信することができるという効果を奏する。
【図面の簡単な説明】
【００１８】
【図１】本実施形態に係る情報収集システムの全体概要を示す図である。
【図２】上記情報収集システムに含まれる自動ドアシステムの要部構成を示すブロック図である。
【図３】上記情報収集システムに含まれる携帯通信端末Ａの要部構成示すブロック図である。
【図４】上記情報収集システムに含まれる携帯通信端末Ｂの要部構成を示すブロック図である。
【図５】（ａ）〜（ｃ）は、上記自動ドアシステムから送信されるビーコン信号の構造例を示す図である。
【図６】メンテナンス情報を複数個に分けて送信する場合の第２信号の構造例を示す図である。
【図７】上記携帯通信端末Ａから送信されるデータの例を示す図である。
【図８】上記情報収集システムにおける処理の流れを示すシーケンス図である。
【図９】上記情報収集システムにおける処理の流れを示すシーケンス図である。
【図１０】（ａ）〜（ｆ）は、メンテナンス情報の利用例を説明するための図である。
【発明を実施するための形態】
【００１９】
〔全体概要〕
まず、図１を参照して、本実施形態に係る情報収集システム１００の全体概要について説明する。図１に示すように、本実施形態に係る情報収集システム１００は、自動ドアシステム４０、１または複数の携帯通信端末Ａ１０、携帯通信端末Ｂ２０、携帯通信端末Ｃ３０、広告配信サーバ（第２サーバ）５０、自動ドア管理サーバ（第１サーバ）６０、および遠隔管理装置７０を含み、携帯通信端末Ａ１０、携帯通信端末Ｂ２０、および携帯通信端末Ｃ３０と、広告配信サーバ５０および自動ドア管理サーバ６０とがネットワーク８０により通信可能に接続されている。
【００２０】
なお、携帯通信端末Ａ１０、携帯通信端末Ｂ２０、および携帯通信端末Ｃ３０は、全て含まれていなくてもよく、例えば、携帯通信端末Ａ１０のみが含まれる構成であってもよいし、携帯通信端末Ａ１０と携帯通信端末Ｂ２０とが含まれる構成であってもよいし、携帯通信端末Ａ１０と携帯通信端末Ｃ３０とが含まれる構成であってもよい。
【００２１】
自動ドアシステム４０は、人を検知してドアを開く自動ドアを含むシステムである。自動ドアシステム４０の詳細については後述する。
【００２２】
携帯通信端末Ａ１０は、自動ドアシステム４０の近傍に存在する携帯通信端末であり、所持者が自動ドアシステム４０の近傍を通過することにより、自動ドアシステム４０からの信号を受信する。そして、受信した信号に含まれる情報を、ネットワーク８０を介して広告配信サーバ５０、自動ドア管理サーバ６０に送信する。携帯通信端末Ａ１０の詳細については後述する。
【００２３】
携帯通信端末Ｂ２０は、自動ドアシステム４０のオーナ、施主等が所持する携帯通信端末であり、所持者が携帯通信端末Ｂ２０に対し操作を行うことにより自動ドアシステム４０から信号を受信する。そして、受信した信号に含まれる情報を、ネットワーク８０を介して自動ドア管理サーバ６０に送信する。携帯通信端末Ｂ２０の詳細については後述する。
【００２４】
携帯通信端末Ｃ３０は、自動ドアシステム４０の施工者、ドア業者等が所持する携帯通信端末であり、自動ドアシステム４０の設定等に用いられる。
【００２５】
なお、携帯通信端末Ａ１０、携帯通信端末Ｂ２０、および携帯通信端末Ｃ３０は全て同じ機能を有する携帯通信端末であってよく、用途に応じて、携帯通信端末Ａ１０にもなり得るし、携帯通信端末Ｂ２０にもなり得るし、携帯通信端末Ｃ３０にもなり得る。また、携帯通信端末としての通常の機能（音声通話、メールの送受信、Ｗｅｂページの閲覧、アプリケーションの実行等）については公知の技術で可能であるので、ここではその説明を省略する。
【００２６】
広告配信サーバ５０は、ネットワーク８０を介して、携帯通信端末Ａ１０と接続されており、例えば、携帯通信端末Ａ１０から通知された識別情報に応じた広告、クーポン、お得情報等（特典情報）を携帯通信端末Ａ１０に送信する。なお、識別情報とは自動ドアシステム４０から発信される信号に含まれる情報である。識別情報の詳細については後述する。
【００２７】
自動ドア管理サーバ６０は、携帯通信端末Ａ１０または携帯通信端末Ｂ２０から送信されたメンテナンス情報（特定情報）を格納することにより、自動ドアシステム４０を管理するための情報を管理する。メンテナンス情報とは、自動ドアシステム４０で検出した各種情報であり、例えば、通過人数、開閉回数、衝撃の有無・時間、振動の有無、ドア駆動部の負荷、周囲の温度、湿度等である。
【００２８】
遠隔管理装置７０は、自動ドア管理サーバ６０に格納されているメンテナンス情報を用いて、自動ドアシステム４０を管理するための装置である。
【００２９】
ネットワーク８０は、接続された機器における情報の送受信を可能とするものであり、例えばインターネット等が含まれる。
【００３０】
本実施形態に係る情報収集システム１００では、自動ドアシステム４０で検出したメンテナンス情報を、自動ドアシステム４０から発信するビーコン信号に含めて、携帯通信端末Ａ１０に送信し、携帯通信端末Ａ１０は、受信したメンテナンス情報を自動ドア管理サーバ６０に送信する。なお、自動ドアシステム４０で検出したメンテナンス情報を携帯通信端末Ｂ２０に送信し、携帯通信端末Ｂ２０が受信したメンテナンス情報を自動ドア管理サーバ６０に送信する構成もあり得る。
【００３１】
携帯通信端末Ａ１０は、上述したように、自動ドアシステム４０の近傍に存在する通信端末であり、当該携帯通信端末Ａ１０の所持者が自動ドアシステム４０近傍を通過したときに、自動ドアシステム４０から信号を受信し、信号に含まれるメンテナンス情報を自動ドア管理サーバ６０に送信する。これにより、ネットワークに接続されていない自動ドアシステム４０のメンテナンス情報を自動ドア管理サーバ６０に容易に送信することができる。
【００３２】
なお、携帯通信端末Ａ１０からメンテナンス情報を送信する際の通信データ量は、所持者に割り当てられている通信許容量として計量されてもよいし、されなくてもよい。仮に、所持者に割り当てられている通信許容量として計量されないのであれば、例えば、メンテナンス情報の送信分の通信データ量を、それ以外の通信データ量と分けて計量し、通信会社側でメンテナンス情報の送信分の通信データ量を所持者に割り当てられている通信許容量として計量しないことにより実現できる。
【００３３】
〔自動ドアシステムの構成〕
次に、図２を参照して、自動ドアシステム４０の要部構成について説明する。図２は、自動ドアシステム４０の要部構成を示すブロック図である。図２に示すように、自動ドアシステム４０はＢＬＥモジュール（信号発信装置）４１０、各種センサ部４２０、ドアシステム設定部４３０、ドアセンサ部４４０、およびドア制御部４５０を含み、ＣＡＮ通信網４００により、これらが通信可能に接続されている。
【００３４】
ＣＡＮ通信網４００とは、ＣＡＮ（Controller Area Network）により接続された装置が相互に通信可能な通信網である。
【００３５】
ＢＬＥモジュール４１０は、近距離無線通信の１つであるＢＬＥ（Bluetooth Low Energy）を用いて信号を送信可能なモジュールであり、送信信号生成部（取得部、信号処理部）４１１、要求信号受信部（受信部）４１２、および信号発信部（送信部）４１３を含む。ＢＬＥモジュール４１０から送信される信号は、所定の周期で発信される信号であってよく、例えばビーコン（beacon）信号である。なお、ＢＬＥ以外の近距離無線通信を用いてビーコン信号を送信する構成であってもよい。ＢＬＥモジュール４１０から送信されるビーコン信号のデータ構造の詳細については後述する。
【００３６】
また、本実施形態では、到達距離が数十メートル程度の無線通信（いわゆる、無線ＰＡＮと呼ばれる通信）を近距離無線通信とよび、それおり到達範囲が長い無線通信（いわゆる、無線ＬＡＮ、無線ＭＡＮ、無線ＷＡＮと呼ばれる通信）を中長距離無線通信と呼ぶ。例えば、近距離無線通信としては、上述したＢＬＥが挙げられ、さらに、ＡＮＴ、ＡＮＴ＋が挙げられる。また、中長距離無線通信としては、ＩＥＥＥＥ８０２．１１規格の無線ＬＡＮ、Ｗ−ＣＤＭＡ、ＬＴＥ、ＬＴＥ−Ａｄｖａｎｃｅｄ等が挙げられる。なお、以下では、近距離無線通信としてＢＬＥを想定し、中長距離無線通信として無線ＬＡＮおよびＬＴＥを想定する。
【００３７】
送信信号生成部４１１は、ＢＬＥモジュール４１０から送信する信号を生成する。より詳細には、送信信号生成部４１１は、周期的に送信するビーコン信号、メンテナンス情報用ビーコン信号（メンテナンス用通知信号を含む）、設定情報用ビーコン信号（設定情報用通知信号を含む）を生成する。メンテナンス用通知信号とは、メンテナンス情報を送信可能な自機の存在を周辺機器に伝える信号である。つまり、メンテナンス用通知信号とは、要求があればメンテナンス情報を要求があった機器に送信する旨の信号である。同様に、設定情報用通知信号とは、設定情報を送信可能な時期の存在を周辺機器に伝える信号である。
【００３８】
要求信号受信部４１２は、携帯通信端末Ａ１０からの要求により、ＢＬＥモジュール４１０から送信する信号を拡張する。例えば、要求信号受信部４１２は、メンテナンス用ビーコン信号に対する要求（返答要求）を携帯通信端末Ａ１０から受信すると、メンテナンス用ビーコン信号の空パケットにメンテナンス情報を格納したビーコン信号に拡張する。
【００３９】
信号発信部４１３は、送信信号生成部４１１が生成した信号、および要求信号受信部４１２が拡張した信号を発信する。より詳細には、信号発信部４１３は、自機の設置場所の属性を判別させるための識別情報、および外部装置からの特定情報の要求を求める要求有無情報を含むメンテナンス用ビーコン信号（第１信号）を繰り返し送信する。また、信号発信部４１３は、メンテナンス用ビーコン信号が拡張された、つまりメンテナンス情報が格納されたビーコン信号（第２信号）を発信する。
【００４０】
なお、信号発信部４１３は、メンテナンス用ビーコン信号ではなく、メンテナンス情報を含むビーコン信号（第２信号）を繰り返し送信する構成であってもよい。
【００４１】
各種センサ部４２０は、メンテナンス情報を検出するための各種センサを含む。各種センサ部４２０に含まれるセンサとしては、例えば、温度センサ、湿度センサ、振動センサ、衝撃センサ、開閉センサ、ドア駆動部４６０の負荷状況を検出するための負荷センサ等が挙げられる。
【００４２】
ドアシステム設定部４３０は、自動ドアシステム４０の設定を行う。設定内容としては、後述するドアセンサ部４４０の感度、検出領域、ドアの静止時間、ドアの開閉速度、トルク等が挙げられる。
【００４３】
ドアセンサ部４４０は、人を検知したときにドア部４７０を開くためのセンサである。
【００４４】
ドア制御部４５０は、後述するドア駆動部４６０を制御する。ドア駆動部４６０は、ドア制御部４５０の制御により駆動することによりドア部４７０を開閉する。ドア部４７０はドアである。ドアは、引き戸式であってもよいし、回転式であってもよいし、開き戸式であってもよい。
【００４５】
なお、上記では、ＣＡＮ通信網４００を用いる構成として説明したが、自動ドアシステム４０はこれに限られるものではない。制御部を備え、当該制御部が自動ドアシステム４０全体を統括して制御することにより、メンテナンス情報の検出、送信等を行う構成であってもよい。
【００４６】
また、自動ドアシステム４０におけるＢＬＥモジュール４１０以外の構成が本発明における外部装置に相当する。
【００４７】
〔携帯通信端末Ａの構成〕
次に、図３を参照して、携帯通信端末Ａ１０の要部構成について説明する。図３は、携帯通信端末Ａ１０の要部構成示すブロック図である。図３に示すように、携帯通信端末Ａ１０は、ＢＬＥモジュール（受信部）１０１、無線ＬＡＮモジュール（通信部）１０２、ＬＴＥモジュール（通信部）１０３、プロセッサー１０４、メモリ１０５、およびタッチパネルディスプレイ１０６を含む。
【００４８】
ＢＬＥモジュール１０１は、自動ドアシステムのＢＬＥモジュール４１０から送信されたビーコン信号を受信するとともに、受信したビーコン信号に応じてＢＬＥモジュール４１０に対して返答信号を送信する。
【００４９】
無線ＬＡＮモジュール１０２は、ネットワーク８０を介して広告配信サーバ５０および自動ドア管理サーバ６０との通信を行う。この通信において、ネットワーク８０は、無線ＬＡＮおよびインターネットによって構成される。
【００５０】
ＬＴＥモジュール１０３も無線ＬＡＮモジュール１０２と同様に、ネットワーク８０を介して広告配信サーバ５０および自動ドア管理サーバ６０との通信を行う。ただし、この通信においては、ネットワーク８０は、ＬＴＥ通信網およびインターネットによって構成される。
【００５１】
プロセッサー１０４は、後述する処理を含め、携帯通信端末Ａ１０における各種情報処理および制御を司り、メモリ１０５はそのために必要なデータや各種プログラムを記憶する。
【００５２】
タッチパネルディスプレイ１０６は、ユーザによる操作入力をタッチパネルによって受け付けるとともに、ディスプレイによる画像表示を行う。
【００５３】
携帯通信端末Ａ１０には、ＢＬＥ信号処理プログラムが組み込まれた特定のアプリケーションがインストールされている。この特定のアプリケーションは、多くのユーザがインストールしているものが望ましく、例えば利用者の多いＳＮＳ系アプリケーションや、移動体通信事業者がプリインストールするアプリケーション等が好適である。そして、ＢＬＥ信号処理プログラム（信号処理プログラム）は、バックグラウンドで実行されることにより、プロセッサー１０４においてＢＬＥ信号処理部１１０を構成する。
【００５４】
ＢＬＥ信号処理部１１０は、メンテナンス情報要求部１１０ａ、メンテナンス情報送信部（特定情報送信部）１１０ｂ、およびビーコン情報送信部（識別情報送信部）１１０ｃを含む。
【００５５】
メンテナンス情報要求部１１０ａは、ＢＬＥモジュール１０１において受信したビーコン信号にメンテナンス用通知信号が含まれる場合、当該信号に対する返答要求を自動ドアシステム４０に送信する。
【００５６】
当該返答要求に対する応答として自動ドアシステム４０から送信されたビーコン信号にメンテナンス情報が含まれていれば、そのビーコン信号に含まれたメンテナンス情報は、メンテナンス情報送信部１１０ｂによって取得される。そして、メンテナンス情報送信部１１０ｂは、取得したメンテナンス情報を含んだ送信データを、無線ＬＡＮモジュール１０２またはＬＴＥモジュール１０３を介し、ネットワーク８０を通じて自動ドア管理サーバ６０へ送信する。送信するデータの具体的な構造は後述する。
【００５７】
ビーコン情報送信部１１０ｃは、ＢＬＥモジュール１０１において受信したビーコン信号に含まれたビーコン情報、すなわち識別情報であるＵＵＩＤ（Universally Unique IDentifier）、Ｍａｊｏｒ値、およびＭｉｎｏｒ値と、信号強度の情報であるＲＳＳＩとを取得し、これらを含んだ送信データを、無線ＬＡＮモジュール１０２またはＬＴＥモジュール１０３を介し、ネットワーク８０を通じて広告配信サーバ５０へ送信する。
【００５８】
また、プロセッサー１０４には、上記特定のアプリケーション、またはその他のアプリケーションが実行されることにより、特典情報受信部１１１が構成される。
【００５９】
特典情報受信部１１１は、広告配信サーバ５０から、ネットワーク８０を通じ、無線ＬＡＮモジュール１０２またはＬＴＥモジュール１０３を介して、クーポン、広告、お得情報等を受信し、タッチパネルディスプレイ１０６に表示させる。なお、特典情報受信部１１１は、クーポン、広告、お得情報等がアップロードされたＷｅｂページのアドレスを受信し、携帯通信端末Ａ１０から当該アドレスにアクセスすることにより、クーポン、広告、お得情報等がタッチパネルディスプレイ１０６に表示されるようになっていてもよい。
【００６０】
以上のように、携帯通信端末Ａ１０は、特定のアプリケーションがインストールされている場合に上述した処理を実行するので、携帯通信端末Ａ１０のユーザが認識することなく、メンテナンス情報の送信に自端末が用いられてしまうということを防止することができる。
【００６１】
また、特定のアプリケーションは、携帯通信端末Ａ１０のユーザにメリット、インセンティブを与えるようなものであってもよい。これにより、携帯通信端末Ａ１０のユーザが当該アプリケーションをインストールする可能性が高まり、確実に自動ドアシステム４０のメンテナンス情報を自動ドア管理サーバ６０に送信することが可能となる。
【００６２】
なお、特定のアプリケーションがインストールされてない場合であっても、メンテナンス情報の送信する構成であってもよい。
【００６３】
〔携帯通信端末Ｂの構成〕
次に、図４を参照して携帯通信端末Ｂ２０の要部構成について説明する。図４は、携帯通信端末Ｂ２０の要部構成を示すブロック図である。図４に示すように、携帯通信端末Ｂ２０は、ＢＬＥモジュール２０１、無線ＬＡＮモジュール２０２、ＬＴＥモジュール２０３、プロセッサー２０４、メモリ２０５、およびタッチパネルディスプレイ２０６を含む。
【００６４】
ＢＬＥモジュール２０１は、自動ドアシステムのＢＬＥモジュール４１０から送信されたビーコン信号を受信するとともに、受信したビーコン信号に応じてＢＬＥモジュール４１０に対して返答信号を送信する。
【００６５】
無線ＬＡＮモジュール２０２は、ネットワーク８０を介して自動ドア管理サーバ６０との通信を行う。この通信において、ネットワーク８０は、無線ＬＡＮおよびインターネットによって構成される。
【００６６】
ＬＴＥモジュール２０３も無線ＬＡＮモジュール２０２と同様に、ネットワーク８０を介して自動ドア管理サーバ６０との通信を行う。ただし、この通信においては、ネットワーク８０は、ＬＴＥ通信網およびインターネットによって構成される。
【００６７】
プロセッサー２０４は、後述する処理を含め、携帯通信端末Ｂ２０における各種情報処理および制御を司り、メモリ２０５はそのために必要なデータや各種プログラムを記憶する。
【００６８】
タッチパネルディスプレイ２０６は、ユーザによる操作入力をタッチパネルによって受け付けるとともに、ディスプレイによる画像表示を行う。
【００６９】
上述したように、携帯通信端末Ｂ２０は、自動ドアシステム４０の施主、オーナが所持する携帯通信端末である。よって、携帯通信端末Ｂ２０には、自動ドアシステム４０に対する操作処理およびモニタリング処理を行う管理プログラムが組み込まれた管理アプリ―ケーションがインストールされている。そして、管理プログラムが実行されることにより、プロセッサー２０４においてモニタリング／操作処理部２１１を構成する。モニタリング／操作処理部２１１は、操作部２１１ａおよびモニタリング情報要求部２１１ｂを含む。さらに、管理プログラムには、携帯通信端末Ａ１０で説明したＢＬＥ信号処理プログラムが組み込まれている。ＢＬＥ信号処理プログラムは、バックグラウンドで実行されることにより、プロセッサー２０４においてＢＬＥ信号処理部２１０を構成する。
【００７０】
操作部２１１ａは、タッチパネルディスプレイ２０６を介して受け付けた操作内容を、ＢＬＥモジュール２０１を介して自動ドアシステム４０に送信することにより、自動ドアシステム４０に対する操作を行う。
【００７１】
モニタリング情報要求部２１１ｂは、ＢＬＥモジュール２０１を介して自動ドアシステム４０に対しモニタリング情報を要求および取得し、取得したモニタリング情報をタッチパネルディスプレイ２０６に表示する。ここで、モニタリング情報とは、通信異常情報、設定異常情報、環境情報（周辺温度、湿度等）、通電情報、起動情報（開閉回数、開時刻等）である。
【００７２】
操作部２１１ａおよびモニタリング情報要求部２１１ｂによる携帯通信端末Ｂ２０と自動ドアシステム４０とのデータの送受信は、まず、携帯通信端末Ｂ２０と自動ドアシステム４０との間でＢｌｕｅｔｏｏｔｈ（登録商標）によるペアリングを行い、その後に、データの送受信を行う。
【００７３】
ＢＬＥ信号処理部２１０は、メンテナンス情報要求部２１０ａ、およびメンテナンス情報送信部２１０ｂを含む。
【００７４】
メンテナンス情報要求部２１０ａは、ＢＬＥモジュール２０１において受信したビーコン信号にメンテナンス用通知信号が含まれる場合、当該信号に対する返答要求を自動ドアシステム４０に送信する。
【００７５】
当該返答要求に対する応答として自動ドアシステム４０から送信されたビーコン信号にメンテナンス情報が含まれていれば、そのビーコン信号に含まれたメンテナンス情報は、メンテナンス情報送信部２１０ｂによって取得される。そして、メンテナンス情報送信部２１０ｂは、取得したメンテナンス情報を含んだ送信データを、無線ＬＡＮモジュール２０２またはＬＴＥモジュール２０３を介し、ネットワーク８０を通じて自動ドア管理サーバ６０へ送信する。
【００７６】
なお、携帯通信端末Ｂ２０において、携帯通信端末Ａ１０と同様にビーコン情報送信部２１０ｃを備え、広告配信サーバ５０と送受信を行うことにより、クーポン、広告、お得情報等を取得する構成であってもよい。
【００７７】
以上のように、携帯通信端末Ｂ２０では、自動ドアシステム４０に対する操作およびモニタリングを行う管理アプリケーションを用いることにより、自動ドアシステム４０に対する管理が可能となるとともに、メンテナンス情報を自動ドアシステム４０から取得し、自動ドア管理サーバ６０に送信することができる。また、メンテナンス情報の取得、および送信は、管理アプリケーションによる管理プログラムのバックグラウンドで動作する。よって、管理アプリケーションが起動されていなくてもメンテナンス情報の取得、および送信を行うことができる。
【００７８】
なお、メンテナンス情報の送信に必要なデータ通信量を他の通信の通信量と別に計量する計量部（通信量計量部）を備えていてもよい。これにより、メンテナンス情報の送信に必要なデータ通信量について、通常の通信量とは異なる対応をとることができる。
【００７９】
〔ビーコン信号のデータ構造例〕
次に、図５を参照して、自動ドアシステム４０のＢＬＥモジュール４１０から発信されるビーコン信号の詳細について説明する。図５の（ａ）〜（ｃ）は、自動ドアシステム４０から発信されるビーコン信号のデータ構造例を示す図である。
【００８０】
まず、図５の（ａ）に、自動ドアシステム４０が通常、発信しているビーコン信号のデータ構造例を示す。図５の（ａ）に示すように、自動ドアシステム４０のＢＬＥモジュール４１０は、ビーコン信号として第１信号を周期的に発信している。第１信号は、ＵＵＩＤ（Universally Unique IDentifier）、Ｍａｊｏｒ値、Ｍｉｎｏｒ値、ＲＳＳＩ、空パケットで構成されている。ＵＵＩＤはＢＬＥモジュールを識別するための識別子であり、Ｍａｊｏｒ値、およびＭｉｎｏｒ値は、さらに細かな情報（場所、位置）を示すものである。また、ＲＳＳＩは信号強度を取得するための情報である。したがって、ＵＵＩＤ、Ｍａｊｏｒ値、およびＭｉｎｏｒ値を総称して識別情報と呼ぶことができる。また、識別情報は、自ＢＬＥモジュール４１０の設置場所の属性を判別させるための情報ということもできる。識別情報を受信した側は、当該識別情報から対応するＢＬＥモジュール４１０がどこに存在するか、またはどんな店舗に設置されているか等を判別することができるためである。例えば、識別情報を受信した側に、識別情報と場所情報等とを対応付けたテーブルが用意されていれば、当該テーブルを参照することにより、識別情報を受信した側で、当該識別情報を発信したＢＬＥモジュール４１０がどこに設置されたものであるかを判別することができる。
【００８１】
上述したように、ＢＬＥモジュール４１０から送信されるビーコン信号は、送信信号生成部４１１で生成され、信号発信部４１３から発信される。したがって、送信信号生成部４１１は、通常送信するビーコン信号として第１信号を生成している。
【００８２】
次に、図５の（ｂ）に、メンテナンス用ビーコン信号、およびメンテナンス情報を含むビーコン信号の構成を示す。図５の（ｂ）では、メンテナンス用ビーコン信号を第１’信号、メンテナンス情報を含むビーコン信号を第２信号と記載している。図５の（ｂ）に示すように、メンテナンス用ビーコン信号は、ＵＵＩＤ、Ｍａｊｏｒ値、Ｍｉｎｏｒ値、ＲＳＳＩ、メンテナンス用通知信号、および空パケットから構成されている。
そして、「メンテナンス用通知信号」に対する返答要求を受信すると、要求信号受信部４１２は、メンテナンス用ビーコン信号をメンテナンス情報が格納されたビーコン信号（第２信号）に拡張する。そして、信号発信部４１３は拡張された第２信号を送信する。
【００８３】
次に、図５の（ｃ）に、設定情報用ビーコン信号、および設定情報を含むビーコン信号の構成を示す。図５の（ｃ）では、設定情報用ビーコン信号を第１”信号、設定情報を含むビーコン信号を第３信号と記載している。図５の（ｃ）に示すように、設定情報用ビーコン信号は、ＵＵＩＤ、Ｍａｊｏｒ値、Ｍｉｎｏｒ値、ＲＳＳＩ、設定情報用通知信号、および空パケットから構成されている。そして、「設定情報用通知信号」に対する返答要求を受信すると、要求信号受信部４１２は、設定情報用ビーコン信号を設定情報が格納されたビーコン信号（第３信号）に拡張する。そして、信号発信部４１３は拡張された第３信号を送信する。設定情報とは、自動ドアシステム４０に設定されている情報であり、例えば、ドアセンサ部４４０の感度、検知領域、ドア部４７０の開時間等である。
【００８４】
なお、第２信号に含まれるメンテナンス情報を複数個に分けて送信する構成であってもよい。この場合について、図６を参照して説明する。図６は、メンテナンス情報を複数個に分けて送信する場合の第２信号の構成を示す図である。図６に示すように、メンテナンス情報を複数個に分ける場合、周期的に送信する第２信号において、例えば、最初の第２信号にメンテナンス情報Ａを格納し、２番目の第２信号にメンテナンス情報Ｂを格納し、３番目の第２信号にメンテナンス情報Ｃを格納する。これにより、メンテナンス情報が、１つの第２信号に格納することができない程、大きなデータ量であったとしても、適切にメンテナンス情報を携帯通信端末Ａ１０に送信することができる。
【００８５】
〔携帯通信端末から送信されるデータ例〕
次に、図７を参照して携帯通信端末Ａ１０から送信されるデータについて説明する。図７は、携帯通信端末Ａ１０から送信されるデータを示す図である。ここでは、携帯通信端末Ａ１０から、ユーザの指示データ、ビーコン信号の識別情報、およびメンテナンス情報を送信する場合の例を示す。ここで、ユーザの指示データとは、ユーザが携帯通信端末Ａ１０を用いて何らかの処理を行っている場合に、ユーザの操作により送信されるデータのことであり、例えば、データのアップロードするときのアップロードデータ、メールを送信するときのメールデータ等のことである。
【００８６】
上記のように、携帯通信端末Ａ１０からは３つのデータが送信されることが考えられる。そして、これら３つのデータのうち、ユーザの指示データはユーザに指示された先へ、ビーコン信号の識別情報は広告配信サーバ５０へ、メンテナンス情報は自動ドア管理サーバ６０へ送信される。
【００８７】
〔携帯通信端末Ａを含むシステムにおける処理の流れ〕
次に、図８を参照して、携帯通信端末Ａ１０を含む情報収集システム１００において、メンテナンス情報を収集する処理の流れを説明する。図８は、情報収集システム１００における処理の流れを示すシーケンス図である。図８に示すように、まず、自動ドアシステム４０は、ビーコン信号として第１’信号を周期的に送信している（Ｓ１０１）。そして、携帯通信端末Ａ１０の所持者が自動ドアシステム４０に接近し、ビーコン信号が届く範囲に入ると、携帯通信端末Ａ１０は自動ドアシステム４０から発信された第１’信号受信する（Ｓ２０１でＹＥＳ）。第１’信号を受信した携帯通信端末Ａ１０は、メンテナンス情報要求部１１０ａが自動ドアシステム４０に対しメンテナンス情報の要求（返答要求、受信確認信号）を行う（Ｓ２０２）。
【００８８】
メンテナンス情報の要求を受信した自動ドアシステム４０のＢＬＥモジュール４１０は、第１’信号を拡張した、メンテナンス情報を含む第２信号を発信する（Ｓ１０２）。
【００８９】
第２信号を受信した携帯通信端末Ａ１０は、第２信号の識別情報（ＵＵＩＤ、Ｍａｊｏｒ値、Ｍｉｎｏｒ値）およびメンテナンス情報を含む送信データを生成する（Ｓ２０４）。そして、ＢＬＥ信号処理部１１０のビーコン情報送信部１１０ｃは、第２信号の識別情報を広告配信サーバ５０へ送信し、メンテナンス情報送信部１１０ｂはメンテナンス情報を自動ドア管理サーバ６０へ送信する（Ｓ２０５）。
【００９０】
識別情報を受信した広告配信サーバ５０は、対応する情報（クーポン、広告、お得情報等）を生成し（Ｓ３０１）、携帯通信端末Ａ１０へ送信する。
【００９１】
以上が、情報収集システム１００における処理の流れである。このように、本実施形態では、インターネット等のネットワークと接続されていない自動ドアシステム４０のメンテナンス情報を、ネットワークと接続されている携帯通信端末Ａ１０を介して自動ドア管理サーバ６０に送信することができる。また、携帯通信端末Ａ１０は、自動ドアシステム４０の近傍に存在する携帯通信端末であればよく、自動ドアシステム４０の近傍には多数の携帯通信端末Ａ１０が存在すると考えられるため、確実にメンテナンス情報を自動ドア管理サーバ６０に送信することができる。
【００９２】
〔携帯通信端末Ｂを含むシステムにおける処理の流れ〕
次に、図９を参照して、携帯通信端末Ｂ２０を含む情報収集システム１００における処理の流れを説明する。図９は、携帯通信端末Ｂ２０を含む情報収集システム１００における処理の流れを示すシーケンス図である。図９に示すように、携帯通信端末Ｂ２０を介してメンテナンス情報を送信する場合、まず、携帯通信端末Ｂ２０のメンテナンス情報要求部２１０ａは、自動ドアシステム４０に対しメンテナンス情報を要求する（Ｓ２１１）。
メンテナンス情報の要求を受信した自動ドアシステム４０は、メンテナンス情報を携帯通信端末Ｂ２０に送信する（Ｓ１１１）。そして、メンテナンス情報を受信した携帯通信端末Ｂ２０は、メンテナンス情報を含む送信データを生成し（Ｓ２１２）、自動ドア管理サーバ６０に送信する（Ｓ２１３）。
【００９３】
〔メンテナンス情報例〕
次に、図１０を参照して、メンテナンス情報の利用例について説明する。図１０の（ａ）〜（ｆ）はメンテナンス情報の利用例を説明するための図である。上述したように、メンテナンス情報としては、例えば、通過人数、開閉回数、衝撃の有無、時間、振動の有無、ドア駆動部の負荷、周囲の温度、湿度等が挙げられる。
【００９４】
図１０の（ａ）に示すように、メンテナンス情報として通過人数を用いることにより、時間帯別の通過人数を認識することができる。図１０の（ａ）に示す例では、１２時と１８時の通過人数が多いことが分かる。これを用いることにより、例えば、自動ドアシステム４０の点検等を行う場合に、通過人数の少ない時間帯に行う等の対応をとることができる。
【００９５】
また、図１０の（ｂ）、（ｃ）に示すように、メンテナンス情報として開閉回数を用いることにより、日付別の開閉回数、累計の開閉回数を認識することができる。開閉回数が増えるほど、自動ドアシステム４０における部品等の消耗度が高まるため、開閉回数を認識することにより、部品の交換等を適切なタイミングで実施することができる。なお、図１０の（ｂ）は、戸車の交換のタイミング例を示しており、図１０の（ｃ）は、ベルト交換のタイミング例を示している。
【００９６】
また、図１０の（ｄ）に示すように、メンテナンス情報として振動、衝撃等のレベルを用いることにより、時間帯別の衝撃、振動レベルを認識することができる。図１０の（ｄ）に示す例では、８時半に大きな衝撃を受けたことが分かる。これを用いることにより、例えば、地震による影響を受けた、人や物がぶつかった等の認識を行うことができ、素早いメンテナンスにつなげることができる。
【００９７】
また、図１０の（ｅ）に示すように、メンテナンス情報としてドア駆動部４６０（ドアエンジン）の負荷状態を用いることにより、時間帯別の負荷度合を認識することができる。図１０の（ｅ）に示す例では、８時半にドア駆動部４６０に大きな負荷がかかったことが分かる。これを用いることにより、適切なメンテナンスにつなげることができる。
【００９８】
また、図１０の（ｆ）に示すように、
メンテナンス情報として自動ドアシステム４０周辺の温度および湿度を用いることにより、時間帯別の温度および湿度を認識することができる。図１０の（ｅ）に示す例では、１２時から１４時頃まで、温度および湿度が高かったことが分かる。これを用いることにより、自動ドアシステム４０の耐用条件等を適切に設定することができる。
【００９９】
〔変形例〕
なお、上述した実施形態では外部装置として自動ドアシステム４０を例に挙げて説明した。本発明はこれに限られるものではなく、ネットワークに接続されてない装置であって、自装置に関する情報をネットワークに送信することが有用な装置であればどのような装置に対しても適用できる。例えば、外部装置は、電気・ガス・水道等のメータ装置であってもよいし、キュービクル等の高圧電気受電装置であってもよいし、自動販売機であってもよい。
【０１００】
例えば、外部装置が、電気・ガス・水道等のメータ装置である場合、メンテナンス情報に対応するものとして、メータ値が挙げられる。メータ値をビーコン信号に含めて送信することにより、メータ装置自体がネットワークに接続されていない場合であっても、ネットワークに接続された管理装置側でメータ値を取得することができる。これにより、メータ値の検針にかかる時間を大幅に短縮することができる。
【０１０１】
また、外部装置が高圧電気受電設備である場合、メンテナンス情報に対応するものとして、当該設備の温度、漏電の有無等が挙げられる。さらに、外部装置が自動販売機である場合、メンテナンス情報に対応するものとして、在庫情報、周辺温度等が挙げられる。
【０１０２】
〔変形例２〕
上述した実施形態では、携帯通信端末を介在させることによりネットワーク８０を介してメンテナンス情報を送信する構成を説明した。しかし、本発明に係るＢＬＥモジュール４１０の用途はこれに限られるものではない。
【０１０３】
ビーコン信号は、受信する側の装置（受信装置）がビーコン信号の到達範囲に存在さえすれば、受信できる。よって、受信装置を所持者が自動ドアシステム４０の近傍を通過するのみでメンテナンス情報を取得することができる。
【０１０４】
例えば、受信装置としては、ＢＬＥモジュール４１０からのビーコン信号を受信し、それに含まれるメンテナンス情報を抽出し、メンテナンスに必要な処理（メンテナンス情報の蓄積や所持者に対するメンテナンス情報の表示等）を自機内で完結するものが考えられる。そのような受信装置については、所持者が、ビル内を巡回するだけで、ビルに備えられている全ての自動ドアシステム４０のメンテナンス情報を取得することができる。これにより、各自動ドアシステム４０において個別にメンテナンス情報を取得するための特定の作業（通信線を接続して情報を取り出す等）を行うことなく容易にメンテナンス情報を取得することができる。
【０１０５】
〔ソフトウェアによる実現例〕
自動ドアシステム４０が制御ブロックを備える場合における当該制御ブロック、携帯通信端末Ａ１０および携帯通信端末Ｂ２０の制御ブロック（ＢＬＥ信号処理部１１０、メンテナンス情報要求部１１０ａ、メンテナンス情報送信部１１０ｂ、ビーコン情報送信部１１０ｃ、特典情報受信部１１１、モニタリング／操作処理部２１１、ＢＬＥ信号処理部２１０、メンテナンス情報要求部２１０ａ、メンテナンス情報送信部２１０ｂ、操作部２１１ａ、モニタリング情報要求部２１１ｂ）は、集積回路（ＩＣチップ）等に形成された論理回路（ハードウェア）によって実現してもよいし、ソフトウェアによって実現してもよい。
【０１０６】
後者の場合、自動ドアシステム４０、携帯通信端末Ａ１０、および携帯通信端末Ｂ２０は、各機能を実現するソフトウェアであるプログラムの命令を実行するコンピュータを備えている。このコンピュータは、例えば１つ以上のプロセッサーを備えていると共に、上記プログラムを記憶したコンピュータ読み取り可能な記録媒体を備えている。そして、上記コンピュータにおいて、上記プロセッサーが上記プログラムを上記記録媒体から読み取って実行することにより、本発明の目的が達成される。上記プロセッサーとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１０７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０８】
１０  携帯通信端末Ａ（携帯通信端末）
２０  携帯通信端末Ｂ（携帯通信端末）
３０  携帯通信端末Ｃ（携帯通信端末）
４０  自動ドアシステム
５０  広告配信サーバ
６０  自動ドア管理サーバ
７０  遠隔管理装置
８０  ネットワーク
１００  情報収集システム
１０１  ＢＬＥモジュール
１０２  無線ＬＡＮモジュール
１０３  ＬＴＥモジュール
１０４  プロセッサー
１０５  メモリ
１０６  タッチパネルディスプレイ
１１０  ＢＬＥ信号処理部
１１０ａ  メンテナンス情報要求部
１１０ｂ  メンテナンス情報送信部
１１０ｃ  ビーコン情報送信部
１１１  特典情報受信部
２０１  ＢＬＥモジュール
２０２  無線ＬＡＮモジュール
２０３  ＬＴＥモジュール
２０４  プロセッサー
２０５  メモリ
２０６  タッチパネルディスプレイ
２１０  ＢＬＥ信号処理部
２１０ａ  メンテナンス情報要求部
２１０ｂ  メンテナンス情報送信部
２１１  モニタリング／操作処理部
２１１ａ  操作部
２１１ｂ  モニタリング情報要求部
４００  ＣＡＮ通信網
４１０  ＢＬＥモジュール（信号発信装置）
４１１  送信信号生成部（取得部、信号処理部）
４１２  要求信号受信部（受信部）
４１３  信号発信部（送信部）
４２０  各種センサ部
４３０  ドアシステム設定部
４４０  ドアセンサ部
４５０  ドア制御部
４６０  ドア駆動部
４７０  ドア部
【図１】
2019117570.tif 000003
【図２】
2019117570.tif 000004
【図３】
2019117570.tif 000005
【図４】
2019117570.tif 000006
【図５】
2019117570.tif 000007
【図６】
2019117570.tif 000008
【図７】
2019117570.tif 000009
【図８】
2019117570.tif 000010
【図９】
2019117570.tif 000011
【図１０】
2019117570.tif 000012